(57)【要約】      （修正有）【課題】光ディスクを備える撮像装置において、ディスク収納部を有する外装ケースと収納部を開閉するディスク蓋の間でガタのない蓋開閉機構を提供する。【解決手段】ターンテーブル４６に着脱可能に装着されるディスクを駆動するテーブル回転装置４８と、画像の情報信号を記録する光ピックアップ４９と、ターンテーブル４６が配置されるディスク収納部４７を有する外装ケースと、外装ケースに回動可能に取付けられたディスク蓋５０と、ディスク収納部を閉じたディスク蓋をロックすると共にロックの解除が可能とされた蓋開閉機構と、を備え、蓋開閉機構は、ディスク蓋５０と一体に設けた固定爪５６と、外装ケースに固定されるベースプレートに回動可能に支持されたロック爪６１と、を具え、固定爪６１はディスク蓋５０の平面部５０ａに対して略垂直をなす方向へ突出し、その固定爪５６の先端にディスク蓋の方向に突出する凸部を設けた。【選択図】図３
2008165938.tif 000002
【特許請求の範囲】
【請求項１】
ターンテーブルに着脱可能に装着されるディスク状記録媒体を回転駆動するテーブル回転装置と、
前記テーブル回転装置により回転駆動される前記ディスク状記録媒体に対して、少なくともレンズ装置を介して入力される被写体の光に対応した画像の情報信号を記録可能なピックアップ装置と、
前記テーブル回転装置及び前記ピックアップ装置が収納されると共に前記ターンテーブルが配置されるディスク収納部を有する外装ケースと、
前記ディスク収納部を開閉可能なように前記外装ケースに回動可能に取り付けられたディスク蓋と、
前記ディスク収納部を閉じた状態で前記ディスク蓋をロックすると共に当該ロックの解除が可能とされた蓋開閉機構と、
を備えた撮像装置において、
前記蓋開閉機構は、前記ディスク蓋と一体に設けた固定爪と、前記外装ケース又は当該外装ケースに固定されるケース側部材に回動可能に支持されたロック爪と、を具え、
前記固定爪は前記ディスク蓋の主面に対して略垂直をなす方向へ突出し、当該固定爪の先端に当該ディスク蓋の方向に突出する凸部を設けた
ことを特徴とする撮像装置。
【請求項２】
前記外装ケース又は前記ケース側部材に、前記固定爪の位置を検出するための位置検出器を設けた
ことを特徴とする請求項１記載の撮像装置。
【請求項３】
前記位置検出器は、前記固定爪の位置を同一箇所又は互いに接近した２箇所で検出する２つの位置検出器からなる
ことを特徴とする請求項２記載の撮像装置。
【請求項４】
前記蓋開閉機構は、前記外装ケース又は前記ケース側部材に回転自在に支持された端面カムを有し、当該端面カムのカム面に摺動接触するカム接触部を前記ロック爪に設け、
前記端面カムの回動に基づき前記ロック爪を回動させることにより当該ロック爪を前記固定爪に対して係合・離脱させる
ことを特徴とする請求項１記載の撮像装置。
【請求項５】
前記カム接触部は、前記ロック爪の回動中心から偏倚した位置において当該回動中心が延在する方向に延在させて設けた
ことを特徴とする請求項４に記載の撮像装置。
【発明の詳細な説明】
【技術分野】
【０００１】
本発明は、外装ケースに回動可能に取り付けられたディスク蓋のロックとそのロック解除を行う蓋開閉機構を備えた撮像装置に関し、特に、蓋開閉機構の部品点数を削減して簡単な構造でありながら、ディスク蓋のロックとそのロック解除を簡単且つ確実に行うことができる撮像装置に関するものである。
【背景技術】
【０００２】
従来の、この種の撮像装置としては、例えば、特許文献１に記載されているようなものがある。特許文献１には、外装ケースに開閉自在に取り付けられたディスク蓋のロックとそのロック解除を行う蓋開閉機構を備えた撮像装置に関し、特に、蓋開閉機構を外装ケース内のディスクドライブ装置近傍の空き領域に配置し、装置の小型化、薄型化を可能とした撮像装置に関するものが記載されている。
【０００３】
この特許文献１に記載された撮像装置は、「ターンテーブルに着脱可能に装着されるディスク状記録媒体を回転駆動するテーブル回転装置と、前記テーブル回転装置により回転駆動される前記ディスク状記録媒体に対して、少なくともレンズ装置を介して入力される被写体の光に対応した画像の情報信号を記録可能なピックアップ装置と、前記テーブル回転装置及び前記ピックアップ装置が収納されると共に前記ターンテーブルが配置されるディスク収納部を有する外装ケースと、前記ディスク収納部を覆うことができるよう前記外装ケースに開閉自在に取り付けられたディスク蓋と、前記ディスク収納部を閉じた状態で前記ディスク蓋をロックすると共に当該ロックの解除が可能とされた蓋開閉機構と、を備えた撮像装置において、前記蓋開閉機構は、前記ディスク蓋に取り付けられたロック爪と、前記ロック爪に対して係合・離脱可能とされ且つ前記外装ケースに移動可能に支持されたストッパ爪と、を有し、当該ストッパ爪を、前記外装ケース内の前記テーブル回転装置及び前記ピックアップ装置の近傍の空き領域に配置した」ことを特徴としている。
【０００４】
このような構成を有する撮像装置によれば、「外装ケース内の、ディスクドライブ装置と重ならない空き領域を有効に活用することができ、外装ケースを小型化させて撮像装置全体の小型化、薄型化を図ることができる。」（明細書の段落［００１４］）という効果を得ることができる。
【特許文献１】特開２００５−１８２８７７号公報
【０００５】
しかしながら、前述した従来の撮像装置において、蓋開閉機構は、外装ケースに固定されたベースプレートに摺動可能に支持されたスライド部材を有し、このスライド部材にストッパ爪（本願発明のロック爪に相当する。）が設けられている。更に、スライド部材をロックすると共にそのロック解除が可能とされた回動レバーと、スライド部材を移動させるモータ組立体と、ストッパ爪をロックの方向へ付勢するコイルバネを有している。この蓋開閉機構では、回動レバーとモータ組立体とコイルバネの他にスライド部材が設けられており、このスライド部材を設けたことによって機構自体が複雑なものになっていた。しかも、スライド部材が摺動するために、その摺動を確保するための隙間が必要とされることから、蓋開閉機構にガタが生じているという問題があった。
【発明の開示】
【発明が解決しようとする課題】
【０００６】
解決しようとする問題点は、従来の撮像装置の蓋開閉機構では、回動レバーとモータ組立体とコイルバネの他にスライド部材が設けられており、このスライド部材によって機構自体が複雑なものになっていた。しかも、スライド部材の摺動動作を確保するために適当な大きさの隙間が必要とされることから、蓋開閉機構にガタが生じている、という点である。
【課題を解決するための手段】
【０００７】
本出願の撮像装置は、ターンテーブルに着脱可能に装着されるディスク状記録媒体を回転駆動するテーブル回転装置と、そのテーブル回転装置により回転駆動されるディスク状記録媒体に対して、少なくともレンズ装置を介して入力される被写体の光に対応した画像の情報信号を記録可能なピックアップ装置と、テーブル回転装置及びピックアップ装置が収納されると共にターンテーブルが配置されるディスク収納部を有する外装ケースと、ディスク収納部を開閉可能なように外装ケースに回動可能に取り付けられたディスク蓋と、ディスク収納部を閉じた状態でディスク蓋をロックすると共にロックの解除が可能とされた蓋開閉機構と、を備えた撮像装置において、蓋開閉機構は、ディスク蓋と一体に設けた固定爪と、外装ケース又は外装ケースに固定されるケース側部材に回動可能に支持されたロック爪と、を具え、固定爪はディスク蓋の主面に対して略垂直をなす方向へ突出し、その固定爪の先端にディスク蓋の方向に突出する凸部を設けたことを最も主要な特徴とする。
【発明の効果】
【０００８】
本出願の撮像装置によれば、蓋開閉機構が、ディスク蓋と一体の固定爪と、外装ケース等に回動可能に支持されたロック爪とを具え、固定爪をディスク蓋の主面に対して略垂直に突出し、その固定爪の先端に凸部を設ける構成としたことにより、従来のスライド部材のような移動する部品を無くして機構自体を簡単化できると共に、ロック時にはロック爪が固定爪を引き込むように係合動作するため、ディスク蓋を強固に且つディスク蓋のガタを減らしてロックすることができる。
【発明を実施するための最良の形態】
【０００９】
蓋開閉機構が、ディスク蓋と一体に設けた固定爪と、外装ケース又は外装ケースに固定されるケース側部材に回動可能に支持されたロック爪と、を具えて構成され、その固定爪がディスク蓋の主面に対して略垂直をなす方向へ突出し、その固定爪の先端にディスク蓋の方向に突出する凸部を設けることにより、機構自体を簡単化できると共に、ロック時にディスク蓋を強固に且つガタを減らしてロックすることができる撮像装置を、簡単な構造によって実現した。
【実施例１】
【００１０】
図１〜図１４は、本発明の実施の形態を示すものである。即ち、図１〜図３は本発明の撮像装置の第１の実施の例を示すもので、正面側から見た斜視図、表示装置を開いて背面側から見た斜視図及びディスク蓋を開いて正面側から見た斜視図、図４は駆動装置側パネルを内側から見た説明図、図５〜図８は本発明の撮像装置に係る蓋開閉機構を示すもので、斜視図、正面図、平面図及び底面図、図９Ａ，Ｂ，Ｃ及び図１０Ａ，Ｂ，Ｃは本発明の撮像装置に係るロック爪を示すもので、斜視図、正面図、平面図及び底面図、一部を断面した左側面図及び右側面図、図１１Ａ，Ｂ，Ｃは本発明の撮像装置に係る蓋検出部材を示すもので、斜視図、平面図及び一部を断面した正面図、図１２は本発明の固定爪とロック爪の係合状態の説明図、図１３は図１２の要部を拡大して示す説明図、図１４は本発明の撮像装置に係るディスク蓋等の位置を検出する３つの検出器の出力状態の説明図である。
【００１１】
本発明の撮像装置について、図１〜図１４を参照して説明する。図１〜図３に示す撮像装置は、本発明の第１の実施の例として適用したデジタルビデオカメラ１である。このデジタルビデオカメラ１は、情報記憶媒体の一具体例を示す光ディスクを情報記憶メディアとして使用し、光学的な画像を、撮像機構の一具体例を示す撮像素子｛例えば、ＣＣＤ（電荷結合素子）、ＣＭＯＳ（相補性金属酸化膜半導体）等｝で電気的な信号に変換して、その画像情報を光ディスクに記録したり、液晶ディスプレイ等の平面パネルからなる表示装置に表示できるようにしたものである。
【００１２】
しかしながら、本発明の撮像装置に使用される情報記憶媒体としては、この実施例で示す光ディスク（ＤＶＤ−Ｒ、ＤＶＤ−ＲＷ、ＤＶＤ−ＲＡＭ等）に限定されるものではなく、例えば、ＭＯ、ＦＤその他の記録可能な光磁気ディスク、磁気ディスク等のディスク状記録媒体を用いることができる。これらのディスク状記録媒体を使用する電子機器としては、例えば、光磁気ディスクを用いる場合には光磁気ディスク式スチルカメラとして適用可能であり、また、磁気ディスクを用いる場合には磁気ディスク式電子手帳として実現することができる。
【００１３】
図１〜図３に示すように、デジタルビデオカメラ１は、外観形態を構成する筐体の一具体例を示す外装ケース２と、この外装ケース２の内部に収納されると共に着脱自在に装着される光ディスクを回転駆動して情報信号の記録（書き込み）及び再生（読み出し）を行うディスクドライブ装置３と、被写体の像を光として取り込んで撮像素子に導くレンズ装置４と、外装ケース２に回動自在に取り付けられた表示装置５と、これらディスクドライブ装置３とレンズ装置４及び表示装置５等の駆動制御を行う制御回路等を備えて構成されている。
【００１４】
外装ケース２は、略直方体をなす中空の筐体からなり、左右方向に対向させて配置された駆動装置側パネル６及び表示装置側パネル７と、両パネル６，７を組み合わせることによって構成される筒体の前側開口部を閉じるフロントパネル８と、その筒体の後側開口部を閉じるリアパネル９を有している。この外装ケース２は、長手方向を前後方向に設定すると共に幅方向に立ち上げたような状態で使用されている。リアパネル９には、携帯用電源であるバッテリー装置１１が着脱可能に装着されるバッテリー収納部１２が設けられている。バッテリー収納部１２は、外装ケース２の背面の略中央に配設されており、このバッテリー収納部１２に対してバッテリー装置１１は、後方斜め上方から差し込み、また同方向に取り出し可能とされている。
【００１５】
この外装ケース２の上部に、レンズ系の撮像レンズである対物レンズ１５を正面に露出させた状態でレンズ装置４が配設されている。レンズ装置４は、そのレンズ系の光軸を水平方向に向けた状態で外装ケース２に取り付けられている。この外装ケース２の内部において、レンズ装置４の後部に撮像素子が取り付けられている。そして、レンズ装置４の後方に、そのレンズ装置４から入力された被写体の画像を写し出すビューファインダ装置１６が配置されている。このビューファインダ装置１６の下方であって、リアパネル９のバッテリー収納部１２の右側である駆動装置側パネル６側に録画ボタン１３が配置されている。
【００１６】
更に、外装ケース２の上部には、ビデオライトや外付けマイクロホン等のアクセサリーが着脱自在に装着されるアクセサリーシューを露出させる開口部が設けられている。アクセサリーシューはビューファインダ装置１６の直前に配置されており、通常は、開口部を開閉するシューキャップ１７によって着脱可能に覆われている。更に、外装ケース２の前面には、フラッシュ装置の発光部１８が配置されている。そして、外装ケース２の前側上部に、ステレオ方式のマイクロホン１９が内蔵されて配置されている。このマイクロホン１９の後方にシューキャップ１７が配置され、その後方に、複数の操作ボタンからなる操作部２１が設けられている。
【００１７】
外装ケース２の一方の側面である表示装置側パネル６には、表示装置５が姿勢変更可能に取り付けられている。表示装置５は、平板状の液晶ディスプレイ等からなる平面パネル２２と、この平面パネル２２が収納されたパネルケース２３と、このパネルケース２３を外装ケース２に対して姿勢変更可能に支持するパネル支持部２４とを備えて構成されている。パネルケース２３の内面には、横長とされた長方形の開口窓２５が設けられており、この開口窓２５に平面パネル２２が嵌め込まれている。そして、パネルケース２３の内面の下辺に、メニュー切換ボタン２６とズームボタン２７とスタート・ストップボタン２８が配設されている。
【００１８】
表示装置５のパネル支持部２４は、垂直軸を回動中心としてパネルケース２３を水平方向に略９０度回動可能とした水平回動部と、水平軸を回動中心としてパネルケース２３を前後方向に略１８０度回動可能とした前後回動部とを有している。これにより、表示装置５は、図１に示すように外装ケース２の側面に収納した収納状態と、図２に示すようにパネルケース２３を水平方向へ９０度回動させて平面パネル２２を後方へ対向させた状態と、その後方対向状態からパネルケース２３を１８０度回動させて平面パネル２２を前方へ対向させた状態と、それらの中間位置の状態とを任意に取ることができるようになっている。
【００１９】
表示装置側パネル７には、図示しない外部記憶装置が着脱可能に装着される記憶媒体挿入口３０と、４つの操作ボタン３１〜３４と、スピーカ装置のための多数の微小な透孔３５と、平面パネル２２を保護する防傷シート３５と、パネルケース２３のクッション材３７が設けられている。記憶媒体挿入口３０は、使用される情報記憶媒体の大きさに対応する大きさのスリット穴として形成されており、その長手方向を上下方向に延在させて設けられている。この記憶媒体挿入口３０は、表示装置側パネル７のパネル支持部２４と反対側において、パネルケース２３の開口窓２５の内側となる位置に配置されている。
【００２０】
４つの操作ボタン３１〜３４のうち、第１の操作ボタン３１は再生ボタン、第２の操作ボタン３２は電池残量チェックボタン、第３の操作ボタン３３はメニュー簡易操作ボタン、第４の操作ボタン３４はリセットボタンである。これら４つの操作ボタン３１〜３４は、表示装置側パネル７の下辺側において、パネルケース２３の開口窓２５の内側となる位置に横並びに配置されている。多数の微小な透孔３５は、記憶媒体挿入口３０の斜め上方であって、同じくパネルケース２３の開口窓２５の内側となる位置に設けられている。これら透孔３５の内側に、図に表れないスピーカ装置が配置されている。
【００２１】
防傷シート３６は、表示装置側パネル７の金属プレート層が体裁面として表面に出ないようにして平面パネル２２を保護するものである。そのため、防傷シート３６は、その一部がパネルケース２３の開口窓２５の外側に設けられた枠部分、特に、パネル支持部２４側の縦枠部分と重なり合う形状とされている。この防傷シート３６の材質としては、例えば、ポリカーボネート（ＰＣ）やポリプロピレン（ＰＰ）等が好適である。また、表示装置側パネル７の防傷シート３６と反対側に３つのクッション材３７が配置されている。３つのクッション材３７のうち、２つのクッション材３７，３７は、上下方向へ適宜な間隔をあけると共に、パネルケース２３の縦枠部分と重なり合う位置に配置されている。
【００２２】
表示装置側パネル７は、図示しないが、いわばハイブリッド筐体を構成するものであり、表面をプラスチックによる樹脂プレート層とすると共に、その内側をマグネシウム合金等の金属プレート層で構成し、樹脂プレート層と金属プレート層との２層構造として構成されている。このように構成したハイブリッド筐体によれば、プラスチックで形成した筐体と同じ程度の安さでありながら、強度の高いフレームとして使用することができ、ダイカストをそのまま表面に使用する場合に比べて極めて安価に製造することができる。しかも、このハイブリッド筐体によれば、スイッチその他の電子部品や、小物の機械部品等をそのまま取り付けることができ、従って、内部のフレーム構造等を簡略化することができる。更に、ハイブリッド筐体の表面に防傷シート３６等を貼り付けることにより、使用者の触感温度を下げることができると共に、放熱効率を高めることができるという効果が得られる。
【００２３】
図３に示すように、外装ケース２の表示装置５と反対側の側面である駆動装置側パネル６は、図３及び図４に示すように、ディスク蓋４４が取り付けられる主面をなす平面部６ａと、この平面部６ａの外縁を囲うように連続する周面部６ｂとからなっている。駆動装置側パネル６の周面部６ｂは、平面部６ａの外周縁の略全周に渡って連続するように形成されている。この周面部６ｂには、モード選択スイッチを兼ねる電源スイッチ４１と、静止画の撮影を行うシャッタボタン４２と、所定の範囲内で画像を連続的に拡大（テレ）又は縮小（ワイド）させるズームレバー４３と、ディスク蓋５０のロックを解除するロック解除ボタン４４等が設けられている。
【００２４】
電源スイッチ４１は、回動操作によって電源をオン・オフ切り換える機能と、電源をオンした状態で回動操作することにより複数の機能モードを繰り返すように切り換える機能とを有している。モード切換機能は、電源スイッチ４４を回動操作することによって実行され、例えば「静止画モード」と「動画モード」と「見る・編集モード」との３態様の中から任意のモードを選択できる構成とすることができる。シャッタボタン４２は静止画を撮影するためのもので、その押圧操作により、１回の押圧操作毎に１つの静止画が撮影される。また、ズームレバー４３は撮影時や再生時等において画像を拡大するためのもので、その操作量に応じて一定の範囲内で倍率を無段階に調整することができる。
【００２５】
この駆動装置側パネル６の平面部６ａの所定位置に所定の形状を有する開口部４５が設けられている。開口部４５は、ディスクドライブ装置３の上面部の一部を露出させるためのものである。そのため、開口部４５の形状は、ディスクドライブ装置３の平面側から見た形状に対応した形状とされており、その平面形状よりもやや大きく開口されている。そして、図示しないメカシャーシに取り付けられたディスクドライブ装置３の上面部の一部が開口部４５に緩く嵌め込まれ、その上面部が外装ケース２の外面に露出されている。
【００２６】
このディスクドライブ装置３の、光ディスク（ディスク状記録媒体）が着脱可能に装着されるディスク装着部であるターンテーブル４６とその周辺の一定領域がディスク収納部４７となっている。ディスク収納部４７は、この実施例では直径が８ｃｍの光ディスクに対応する大きさの領域として形成されている。このディスク収納部４７の略中央部にはディスクドライブ装置３のテーブル回転装置４８が配置され、その中央部に位置するターンテーブル４６に対して、ディスク状記録媒体の一具体例を示す直径８ｃｍの光ディスク（ＤＶＤ、ＣＤ−ＲＷ等）が装着可能とされている。
【００２７】
ディスクドライブ装置３は、図３において一部のみを示すが、外装ケース２に取り付けられるメカシャーシと、このメカシャーシに固定されるテーブル回転装置４８と、ピックアップ装置の一具体例を示す光ピックアップ４９等を備えて構成されている。メカシャーシは導電性の板材で形成されていて、絶縁性材料で形成された弾性体からなる複数個のマウントインシュレータを介して外装ケース２に弾性的に支持されている。メカシャーシに搭載されたテーブル回転装置４８は、メカシャーシに固定されたスピンドルモータと、このスピンドルモータの回転部に固定されたターンテーブル４６とから構成されている。
【００２８】
ターンテーブル４６は、光ディスクのセンタ穴が嵌合される嵌合部４６ａと、センタ穴の周縁部が載置される載置部４６ｂとからなっている。更に、ターンテーブル４６の嵌合部４６ａには、光ディスクのセンタ穴の周縁部に係合して光ディスクを保持する複数個の係合爪４６ｃが周方向に複数個設けられている。各係合爪４６ｃはスプリングによって半径方向外側へ付勢されており、このスプリングのバネ力によって光ディスクが嵌合部４６ａに位置決めされて固定される。
【００２９】
光ピックアップ４９は、図示しないが、光ディスクの情報記録面に対向されるピックアップレンズ５２を有する二軸アクチュエータと、この二軸アクチュエータが搭載されたスライド部材等を備えて構成されている。スライド部材は、２本のガイド軸にガイドされて移動可能とされている。２本のガイド軸は、スピンドルモータを挟んで互いに平行とされており、一方のガイド軸の近傍にピックアップ移動装置が設けられている。ピックアップ移動装置は、スライド部材に取り付けられた送りナットに係合される送りネジ軸と、この送りネジ軸を回転軸とした送りモータとから構成されている。送りネジ軸は光ピックアップ４９のガイド軸と平行に設定され、メカシャーシに回転自在に支持されている。
【００３０】
かくして、送りモータを駆動して送りネジ軸を回転することにより、その送りネジ軸の回転方向に応じて光ピックアップ４９がターンテーブル４６に近づく方向とターンテーブル４６から離れる方向とに選択的に移動される。これらメカシャーシとテーブル回転装置４８と光ピックアップ４９とピックアップ移動装置とその他の関連機構によってディスクドライブ装置３が構成されている。
【００３１】
このディスクドライブ装置３の、テーブル回転装置４８が配置されたディスク収納部４７６は、駆動装置側パネル６に側面部を回動自在に支持されたディスク蓋５０によって開閉可能に覆われている。ディスク蓋５０は、ディスク収納部４７の形状に見合う形状とされていて、この実施例では略円形とされている。このディスク蓋５０は、ディスク収納部４７の外側を覆う若干湾曲させて形成した主面をなす平面部５０ａと、この平面部５０ａの外周縁の略全周に亘って連続する周面部５０ｂを有している。ディスク蓋５０の周面部５０ｂは、駆動装置側パネル６のディスク収納部４７の外周側切欠き部と嵌り合うように構成されている。
【００３２】
この実施例で示すディスク蓋５０は、外周縁一周の略５／６（約３００度）が円形（円形部分は全体の略３／４以上あれば良い。）とされたシェル形をなしており、残りの部分には、側方へ突出する方形部５０ｃが形成されている。この方形部５０ｃには、ディスク蓋５０を開閉動作させるための回動中心となる蓋回動軸部５４が取り付けられる。蓋回動軸部５４は、図示しないが、方形部５０ｃに取り付けられた支持軸と、この支持軸の両端を固定的に支持する一対の軸受片を有する軸受部材とからなり、軸受部材を駆動装置側パネル６に固定することによってディスク蓋５０が回動自在に支持されている。この蓋回動軸部５４には、ディスク蓋５０の最大開き角度（例えば、９０度）を設定するストッパ部が設けられている。
【００３３】
このような蓋回動軸部５４が、その支持軸の軸方向を上下方向に設定して駆動装置側パネル６に取り付けられている。これにより、ディスク蓋５０が蓋回動軸部５４を介して駆動装置側パネル６の後部に回動可能に支持されている。その結果、ディスク蓋５０は、デジタルビデオカメラ１の正面を前側として前開きによって側方へ略９０度開放動作させることができる。なお、蓋回動軸部５４には、一定の開放角度の範囲内においてディスク蓋５０を任意の開放位置で静止させることができると共に、その開放角度を超えたときにはディスク蓋５０を開放側へ付勢するようにバネ部材が装着されている。
【００３４】
このディスク蓋５０と駆動装置側パネル６に関連させて、ディスク蓋５０の蓋開閉機構５５が設けられている。この蓋開閉機構５５は、ディスク収納部４７を閉じた状態のディスク蓋５０を、その閉じ状態においてロックするロック機能と、そのロックを解除するロック解除機能とを有するものである。この蓋開閉機構５５を介して、ディスク収納部４７がディスク蓋５０によって開閉され、そのディスク蓋５０のロック及びそのロック解除が蓋開閉機構５５によって実行される。
【００３５】
蓋開閉機構５５は、図３〜図８に示すように、ディスク蓋５０に固定される固定爪５６と、外装ケース２の一部を構成する駆動装置側パネル６に固定されるケース側部材の一具体例を示すベースプレート６０と、このベースプレート６０に回動自在に支持されたロック爪６１及び蓋検出部材６２と、ベースプレート６０に回転自在に支持された端面カム６３と、この端面カム６３を回動させるカム駆動部６４等から構成されている。
【００３６】
固定爪５６は、図１２及び図１３に示すように、ディスク蓋５０の主面をなす平面部５０ａの内面に、その主面と略垂直をなす方向へ突出するよう一体に設けられている。この固定爪５６は、平面部５０ａから立設されたくさび状の形状を有しており、ディスク蓋５０と同一材料によって一体成型されている。固定爪５６の先端は、一方に傾斜した斜面部を有し、その斜面部には、平面部５０ａの面方向と平行をなす方向（側方）に突出するフック部５７が設けられている。更に、フック部５７の先端には、ディスク蓋５０の方向に突出する凸部５７ａが設けられている。この凸部５７ａを設けたことにより、フック部５７の内側には、固定爪５６の先端側に向って凹んだ凹部５８が形成されている。
【００３７】
ベースプレート６０は、蓋開閉機構５５の固定爪５６を除く他の部品が搭載される板材によって形成された部材であり、図４に示すような状態で駆動装置側パネル６の内面にネジ止めされている。そのため、ベースプレート６０は、駆動装置側パネル６の撮像装置前側の収納部に収まるようにその収納部の形状に見合った形状をしており、この実施例では平面形状が蒲鉾型のような形状となっている。このベースプレート６０の中央部には、長手方向へ２分するように段差部６０ａが設けられており、この段差部６０ａを境として一側に第１の領域が設定され、他側に第２の領域が設定されている。そして、ベースプレート６０の長手方向の両端に、このベースプレート６０を駆動装置側パネル６にネジ止めするための固定部６０ｂ，６０ｃが設けられている。各固定部６０ｂ，６０ｃには、固定ネジが挿通される挿通孔６５ａと、位置決めのための位置決め孔６５ｂとが設けられている。
【００３８】
ベースプレート６０の段差部６０ａによって分けられた第１の領域には、ロック爪６１と端面カム６３と中間ギア６６が配置されている。ロック爪６１は、図９Ａ，Ｂ，Ｃ及び図１０Ａ，Ｂ，Ｃに示すような構成を有している。即ち、ロック爪６１は、円筒状に形成された筒軸部６１ａと、この筒軸部６１ａの外周面から半径方向外側に突出するように形成された爪部６１ｂとアーム部６１ｃとバネ受部６１ｄを有している。爪部６１ｂに対してアーム部６１ｃは、略９０度回転変位した位置に配置されており、そのアーム部６１ｃに対して略９０度回転変位した位置にバネ受部６１ｄが配置されている。従って、爪部６１ｂとバネ受部６１ｄは、略１８０度回転変位した反対側の位置に設けられている。
【００３９】
ロック爪６１の爪部６１ｂは、一方に傾斜面７１を有するくさび形状を有している。更に、爪部６１ｂの傾斜面７１側の中間部には、半径方向斜め内側に開口する切欠き部７２が設けられている。この切欠き部７２を設けることにより爪部６１ｂには、先端の尖ったくちばし状のフック部７３が形成されている。切欠き部７２の底部は、適当な大きさの円形の曲面として形成されている。また、フック部７３の内面は、筒軸部６１ａの中央穴７４の中心Ｏを中心として曲率半径Ｒによって形成された円弧状のガイド曲面７５となっている。このガイド曲面７５は、切欠き部７２の底部の円形曲面とも連続されている。
【００４０】
ロック爪６１のアーム部６１ｃは、筒軸部６１ａの中央穴７４の穴方向と直交する方向に延在された直交方向片７６ａと、この直交方向片７６ａの先部に連続されると共に中央穴７４の穴方向と平行する方向に延在された平行方向片７６ｂを有している。そして、平行方向片７６ｂの先端に、端面カム６３のカム面６３ａに摺動接触されるカム接触部７７が設けられている。また、ロック爪６１のバネ受部６１ｄには、付勢部材の一具体例を示す第１の捩りバネ７８の一片を係止するためのスリット部７９が設けられている。
【００４１】
端面カム６３は、円筒体の端面にカム面６３ａを設けたものであり、カムギア８０の一面に同心状をなして一体に形成されている。端面カム６３の上端面が上昇端であり、カムギア８０の一面が下降端であって、その間が一定の勾配角度によって連続されている。この端面カム６３と一体をなすカムギア８０は、ベースプレート６０に立設された第１の支持軸８１によって回動自在に支持されている。また、カムギア８０の直径は、端面カム６３の直径よりも大きく形成されている。このカムギア８０には、ベースプレート６０に立設された第２の支持軸８２によって回動自在に支持され中間ギア６６の小径ギアが噛合されている。中間ギア６６と小径ギアは一体に形成されており、その中間ギア６６にウォームギア８３が噛合されている。
【００４２】
ウォームギア８３は、駆動モータ６７の回転軸に固定され、一体的に回転可能とされている。駆動モータ６７は、ベースプレート６０の段差部６０ａに設けた穴に回転軸を貫通させた状態で、固定ネジによって段差部６０ａにネジ止めされている。この段差部６０ａによって分けられた第２の領域には、蓋検出部材６２が第２の回動軸８４によって回動自在に支持されている。第２の回動軸８４は、ベースプレート６０に立設されている。蓋検出部材６２は、図１１Ａ，Ｂ，Ｃに示すような構成を有している。即ち、蓋検出部材６２は、くの字状に形成された棒状の部材からなり、長手方向の一端に回動軸部６２ａが設けられ、長手方向の他端に、固定爪５６によって押圧操作される入力部６２ｂが設けられている。
【００４３】
蓋検出部材６２の回動軸部６２ａは、中央穴８５を有すると共に、外周面には適当な隙間をあけて第２の付勢部材の一具体例を示す第２の捩りバネ８６が装着されている。この第２の捩りバネ８６の一方のバネ片は、蓋検出部材６２に設けた保持溝８７に挿入され、その保持溝８７内に設けたバネ受片８７ａに係合されて支持されている。更に、蓋検出部材６２の回動軸部６２ａと入力部６２ｂとの間には、固定爪５６の位置を検出するために用いられる検出カム部６２ｃが設けられている。そして、検出カム部６２ｃと入力部６２ｂとの間には、蓋検出部材６２の回動量を制限するためのストッパ部６２ｄが設けられている。
【００４４】
このような構成を有する蓋検出部材６２が、入力部６２ｂをベースプレート６０の長手方向の略中央に配置した状態で第２の回動軸８４ｂに回動自在に支持されている。そして、回動軸部６２ａにコイル部が装着された前記第２の捩りバネ８６の他方のバネ片が、ベースプレート６０に設けたバネ受片８８ａに係合されている。この第２の捩りバネ８６のバネ力によって蓋検出部材６２は、図８において反時計方向へ付勢されている。そして、第２の捩りバネ８６のバネ力による蓋検出部材６２の回動がベースプレート６０に設けたストッパ片８８ｂによって阻止されている。
【００４５】
この蓋検出部材６２に関連して、検出カム部６２ｃの近傍には、固定爪５６を介してディスク蓋５０の位置を検出するための位置検出器の一具体例を示す２つの蓋検出スイッチ９１，９２が設けられている。位置検出器である蓋検出スイッチを２個設けた理由は、２つの蓋検出スイッチ９１，９２でディスク蓋５０の位置を検出することにより、ディスク蓋５０の開閉状態を確実に且つ安全に検出するためである。即ち、光ピップアップを用いた情報記録・再生装置では、万一、レーザ光が発射されている状態でディスク蓋５０が開放されると、そのレーザ光が人の目に触れるおそれが生じるため、ディスク蓋５０を開放するためには、必ず光ピップアップを停止させてレーザ光が発射されていないようにするものである。
【００４６】
２つの蓋検出スイッチ９１，９２は、蓋検出部材６２の一面から突出するように設けた検出カム部６２ｃを両側から挟むように配置されている。この２つの蓋検出スイッチ９１，９２は、後述するようなタイミングの違いの下に、蓋検出部材６２の回動によってオン・オフするように構成されている。なお、２つの蓋検出スイッチ９１，９２は、同じ位置に重ね合せるように配置して設ける構成としてもよい。更に、２つの蓋検出スイッチ９１，９２は、フレキシブル配線板９３の所定位置に実装されている。このフレキシブル配線板９３をベースプレート６０の所定位置に固定することにより、２つの蓋検出スイッチ９１，９２がベースプレート６０の所定位置に取り付けられている。
【００４７】
図５〜図８に示すように、ロック爪６１は、ベースプレート６０の段差部６０ａによって分けられた第１の領域内に配置され、その爪部６１ｂが、第２の領域内に配置された蓋検出部材６２の入力部６２ｂと向き合うようにベースプレート６０に回動自在に支持されている。即ち、ロック爪６１は、ベースプレート６０に設けた軸受片６０ｄに立設された第１の回動軸８４ａに、その筒軸部６１ａの中央穴を嵌合することによって取り付けられている。軸受片６０ｄは、段差部６０ａと同方向へ立ち上げると共に互いに略直交する方向へ展開するように設けられている。その結果、軸受片６０ｄに固定された第１の回動軸８４ａの軸心線の延長線は、段差部６０ａに固定された駆動モータ６７の回転軸と高さ方向に所定量だけ変位させて略直交する方向に延在されている。
【００４８】
これにより、ロック爪６１の爪部６１ｂがベースプレート６０の幅方向の一側において蓋検出部材６２の入力部６２ｂに対向されると共に、アーム部６１ｃが端面カム６３側に延在され、その先端に設けたカム接触部７７がカムギア８０の一面に接触されている。このロック爪６１を支持する第１の回動軸８４ａに、一方のバネ片がバネ受部６１ｄに係合された第１の捩りバネ７８のコイル部が装着されている。第１の捩りバネ７８の他方のバネ片は軸受片６０ｄに係止されており、この第１の捩りバネ７８のバネ力によってロック爪６１が、その爪部６１ｂのフック部７３を蓋検出部材６２の入力部６２ｂに近づける方向へ付勢されている。このとき、アーム部６１ｃの先端に設けたカム接触部７７が端面カム６３の移動軌跡上に位置しており、そのカム接触部７７が捩りバネ７８のバネ力によってカムギア８０側に付勢されている。
【００４９】
更に、ベースプレート６０には、ロック爪６１の回動動作によってオン・オフ動作されるモータ停止スイッチ９４が設けられている。モータ停止スイッチ９４は、ベースプレート６０に設けた取付片６０ｅにフレキシブル配線板９３を介してネジ止めされて取り付けられている。取付片６０ｅは、軸受片６０ｄと同方向へ立ち上げるように設けられている。モータ停止スイッチ９４の作動子は、ロック爪６１のアーム部６１ｃと対向するように配置されている。このモータ停止スイッチ９４は、固定爪５６がロック爪６１と係合する方向へ移動する際にアーム部６１ｃによりオンとされて、その信号を制御装置に出力する。これにより、駆動モータ６７への電力の供給が遮断され、駆動モータ６７が停止される。取付片６０ｅの先端には、ロック爪６１の回動量を制限するストッパ部６０ｆが設けられている。
【００５０】
このような構成を有する蓋開閉機構５５が取り付けられた駆動装置側パネル６の内面の所定位置に、図４に示すように、ディスク蓋５０を開放動作させるための蓋開放スライドボタン（イジェクトボタン）９５が設けられている。この蓋開放スライドボタン９５は、駆動装置側パネル６の前側上部に配置されており、前後方向へ所定の距離だけ移動可能とされている。この蓋開放スライドボタン９５は、移動規制部材９６によって前後方向へのみ直線的に移動可能とされている。更に、蓋開放スライドボタン９５は、リターンバネ９７によって常時前側へ付勢されている。この蓋開放スライドボタン９５の移動を検出するイジェクト検出スイッチ９８が、その蓋開放スライドボタン９５の近傍に配置されている。イジェクト検出スイッチ９８は、フレキシブル配線板９３の枝部分の先端に固定された配線基板９９に実装されている。
【００５１】
また、図３に示すように、駆動装置側パネル６には、ディスク蓋５０を水平方向へ囲うようにハンドストラップ１１０が取り付けられている。ハンドストラップ１１０は、外装ケース２の把持部とされたグリップ部（駆動装置側パネル６とディスク蓋５０）を握るユーザーの手の部分を支えて、デジタルビデオカメラ１の取り落とし等を防止するものである。このハンドストラップ１１０は、両端が駆動装置側パネル６に固定された支持ベルト１１１と、この支持ベルト１１１に装着されてユーザーの手の甲部分に当接される保護パッド１１２から構成されている。支持ベルト１１１の一端は駆動装置側パネル６の前側下部に固定された取付金具１１３に連結され、他端は駆動装置側パネル６の後側中途部に設けた貫通穴から内側に挿入されて、その内部に取り付けられた取付金具に固定されている。
【００５２】
前記外装ケース２を構成する駆動装置側パネル６と表示装置側パネル７とディスク蓋５０とロック爪６１と蓋検出部材６２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。また、ベースプレート６０の材料としては、例えば、ステンレス鋼やスチール鋼等の金属が好適である。しかしながら、金属材料に限定されるものではなく、ＡＢＳその他のエンジニアリングプラスチックを適用できることは勿論である。
【００５３】
かくして、駆動装置側パネル６の所定位置に蓋開閉機構５５を取り付けると、図３に示すように、駆動装置側パネル６のディスク収納部４７の外周縁に設けた開口穴８９にロック爪６１の爪部６１ｂと蓋検出部材６２の入力部６２ｂが対向される。特に、ロック爪６１の爪部６１ｂの先部は、開口穴８９を貫通して表面側に突出している。また、蓋開放スライドボタン９５は、リターンバネ９７で付勢されて、閉じたときの状態の位置に移動している。
【００５４】
この状態から、ディスク蓋５０によってディスク収納部４７を閉じるときには、そのディスク蓋４７を指で押すだけで実行することができる。この場合、ディスク蓋４７を指で押すと、ディスク蓋５０に設けた固定爪５６が駆動装置側パネル６の開口部８９に近づき、固定爪５６の先端面がロック爪６１の爪部６１ｂと蓋検出部材６２の入力部６２ｂとに略同時に当接される。これにより、ロック爪６１では、第１の捩りバネ７８のバネ力に抗して、図１２において、第１の回動軸８４ａを回動中心として反時計方向に回動される。その結果、ロック爪６１の爪部６１ｂの先端に設けた可動側のフック部７３が、固定爪５６の斜面側に設けた固定側のフック部５７の端面にガイドされて反時計方向である後方に回動される。
【００５５】
更に、ディスク蓋５０を閉じ方向へ押圧することにより、爪部６１ｂの可動側フック部７３が固定爪５６の固定側フック部５７を乗り越えると、第１の捩りバネ７８のバネ力によってロック爪６１が時計方向に回動され、図１２に示すような状態となる。そして、爪部６１ｂの、固定側フック部５７が入り込む切欠き部７２は、その固定側フック部５７に見合う大きさに形成されている。更に、切欠き部７２の底部は、固定側フック部５７の先端に設けた凸部５７ａを引き込むことができるように円弧状に形成されている。しかも、伝達トルクの作用点となる固定側フック部５７と可動側フック部７３との接触点ＳＴが、ロック爪６１の回動中心となる筒軸部６１ａの中心Ｏの略真上に設定されている。
【００５６】
その結果、固定側フック部５７に対して可動側フック部７３を確実且つ容易に引っ掛けることができる。しかも、可動側フック部７３の内面が、筒軸部６１ａの中心Ｏを中心として曲率半径Ｒによるガイド曲面７５とされているため、可動側フック部７３による固定側フック部５７の引き込み動作をスムースに行うことができる。更に、固定側フック部５７と可動側フック部７３との接触点ＳＴは、可動側フック部７３の入り口部分よりも奥の部分が、その回動量に応じて中心Ｏからの距離が小さくなるように湾曲形成されている。そのため、ロック爪６１を付勢する第１の捩りバネ７８の付勢力により、固定爪５６を介してディスク蓋５０を引き込む力が確実に作用することになる。
【００５７】
これにより、ロック爪６１による固定爪５６の引き込み量Ｇを大きくして、ロック時のガタ（ディスク蓋５０と外装ケース２との隙間）を減らすことができる。しかも、固定爪５６の先端が、凸部５７ａとしてディスク蓋５０側に出っ張っているので、ロック爪６１を奥まで入れることができ、且つ、確実に引き込みすることができる。また、ロック爪６１の回動動作をカムギア８０と一体に設けた端面カム６３で行う構成としたため、第１の捩りバネ７８のバネ力を大きくした場合にも、端面カム６３を容易に回動することができるから、第１の捩りバネ７８のバネ力を大きくして密着性を高めることができる。このロック爪６１による固定爪５６の引き込みが効いたロック状態を、図１３に示している。
【００５８】
この蓋開閉機構５５によるディスク蓋５０の開放動作は、例えば、蓋開放スライドボタン（イジェクトボタン）９５を操作するだけで簡単に行うことができる。いま、図４に示すように、蓋開放スライドボタン９５をオープン（蓋開放）方向へスライド操作すると、そのスライド動作がイジェクト検出スイッチ９８によって検出される。これにより、蓋開放検出信号が制御装置に出力され、その結果、制御装置から蓋開閉機構５５の駆動モータ６７に駆動信号が出力され、駆動モータ６７が所定方向に回転駆動される。これにより、駆動モータ６７の回転力が、その回転軸に固定されたウォームギア８３から中間ギア６６、その小径ギアを介してカムギア８０に伝達され、そのカムギア８０と一体に端面カム６３が回転駆動される。
【００５９】
この端面カム６３の回転により、その回転量に応じてロック爪６１のアーム部６１ｃの先端に設けたカム接触部７７がカム面６３ａに沿って移動する。これにより、図１３において、ロック爪６１の可動側フック部７３が固定爪５６の固定側フック部５７から離れる反時計方向へ回動される。そして、可動側フック部７３が所定量回動することにより、固定側フック部５７との係合が解除される。これにより、ディスク蓋５０を常に開放方向に付勢している図示しない付勢部材（捩りバネ）のバネ力により、ディスク蓋５０がディスク収納部４７を開放する方向へ所定量だけ移動される。その結果、ディスク蓋５０がフリーな状態となり、その後、ディスク蓋５０を大きく開くことにより、ディスク収納部４７が大きく開放され、ディスク装着部に対する光ディスクの装着又は離脱動作が可能となる。
【００６０】
この際、ロック爪６１の回動動作により、モータ停止スイッチ９４がオンとなり、その検出信号が制御装置に送出される。これにより、制御装置から出力されるスピンドルモータを駆動するための制御信号の出力が停止され、モータ停止スイッチ９４がオンなっている間、光ピックアップからのレーザ光の発射が停止される。
【００６１】
これと略同時に或いは近い時間に前後して、固定爪５６によって蓋検出部材６２が回動される。即ち、固定爪５６の押圧力により、蓋検出部材６２が第２の回動軸８４ｂを回動中心として、図８において時計方向に回動される。これにより、蓋検出部材６２の内側に設置されている２つの蓋検出スイッチ９１，９２が、蓋検出部材６２の検出カム部６２ｃによってオンとされ、それぞれの検出信号が制御装置に出力される。制御装置では、これらの検出信号に基づいて、ディスク蓋５０が開かれているか、閉じられているかを判断する。即ち、この蓋開閉機構５５では、「モータ停止スイッチ９４がオフ」であって「２つの蓋検出スイッチ９１，９２が共にオン」の状態を、ディスク蓋５０が閉まっていると判断する。
【００６２】
この３つのスイッチ９１，９２，９４のタイミングチャートを図１４に示す。図１４は、ディスク蓋５０の高さ（開放量）ｍｍと、３つのスイッチ９１，９２，９４がオン・オフするタイミングを示したものである。図１４に示すように、時点ｔ１において、固定爪５６がロック爪６１に接触を開始する。このとき、ディスク蓋５０の高さ（開放量）は、例えば、８．３５ｍｍである。また、２つの蓋検出スイッチ９１，９２とモータ停止スイッチ９４は、共にオフとなっている。この状態から、ディスク蓋５０が外装ケース２に近づく方向に移動して、時点ｔ２になると、ロック爪６１のアーム部６１ｃによってモータ停止スイッチ９４がオンに切り換えられる。その結果、スピンドルモータが停止された状態となり、光ピックアップからレーザ光が発射されることがない。時点ｔ３は、ディスク蓋５０の高さを３．６ｍｍとしたときに、モータ停止スイッチ９４がオンに切り換えられることを示している。
【００６３】
次に、時点ｔ４まで進むと、第２の蓋検出スイッチ９２がオンとなる。そして、時点ｔ５になると、第１の蓋検出スイッチ９１がオンとなる。これにより、３つのスイッチが全てオンになるため、ディスクドライブ装置３の駆動が可能となり、スピンドルモータを回転させることができると共に、光ピックアップからレーザ光を発射することも可能となる。時点ｔ６は、ディスク蓋５０の高さを２．０ｍｍとしたときに、第１の蓋検出スイッチ９１がオンとなることを示している。また、時点ｔ６は、第２の蓋検出スイッチ９２がオンからオフに切り換えられる状態を示している。
【００６４】
次に、時点ｔ８まで進むと、モータ停止スイッチ９４がオンからオフに切り換えられることを示している。この切換時点は、時点ｔ７のように、ディスク蓋５０が完全に閉じる少し手前（高さ０．５ｍｍ）において、モータ停止スイッチ９４がオンからオフに切り換えられるようにすることもできる。
【００６５】
本発明は、前述しかつ図面に示した実施の形態に限定されるものではなく、その要旨を逸脱しない範囲内で種々の変形実施が可能である。例えば、前記実施例では、ディスク蓋５０に固定爪５６を設け、外装ケース２側に回動可能なロック爪６１を設けた例について説明したが、これとは逆に、ディスク蓋５０にロック爪６１を設け、外装ケース２側に固定爪５６を設ける構成とすることもできる。更に、前記実施例では、ベースプレート６０をケース側部材の一具体例として設け、そのベースプレート６０を介して端面カム６３やロック爪６１を外装ケース２の一部を構成する駆動装置側パネルに取り付ける構成としたが、ベースプレート６０の使用を止めて、端面カム６３やロック爪６１等を直接駆動装置側パネルに取り付ける構成としてもよいことは勿論である。
【００６６】
また、前記実施例では、撮像装置の具体例としてデジタルビデオカメラに適用した例について説明したが、アナログビデオカメラに適用できることは勿論のこと、電子スチルカメラ、その他の撮像装置は勿論のこと、携帯電話、ＰＨＳ、通信機器その他の撮像装置として使用可能な各種の装置に適用できるものである。
【図面の簡単な説明】
【００６７】
【図１】本発明の撮像装置の第１の実施の例を示すもので、デジタルビデオカメラを正面側から見た斜視図である。
【図２】本発明の撮像装置の第１の実施の例を示すもので、デジタルビデオカメラの表示装置を開いて背面側から見た斜視図である。
【図３】本発明の撮像装置の第１の実施の例を示すもので、デジタルビデオカメラのディスク蓋を開いてディスク収納部を開放した状態を正面側から見た斜視図である。
【図４】本発明の撮像装置に係る駆動装置側パネルを内側から見た説明図である。
【図５】本発明の撮像装置に係る蓋開閉機構の斜視図である。
【図６】本発明の撮像装置に係る蓋開閉機構の正面図である。
【図７】本発明の撮像装置に係る蓋開閉機構の平面図である。
【図８】本発明の撮像装置に係る蓋開閉機構の底面図である。
【図９】本発明の撮像装置に係る蓋開閉機構のロック爪を示すもので、図９Ａは斜視図、図９Ｂは正面図、図９Ｃは平面図である。
【図１０】本発明の撮像装置に係る蓋開閉機構のロック爪を示すもので、図１０Ａは底面図、図１０Ｂは左側面図、図１０Ｃは右側面図である。
【図１１】本発明の撮像装置に係る蓋開閉機構の蓋開閉部材を示すもので、図１１Ａは斜視図、図１１Ｂは平面図、図１１Ｃは一部を断面した正面図である。
【図１２】本発明の撮像装置に係る蓋開閉機構のロック爪と固定爪との係合状態を説明する説明図である。
【図１３】図１２の要部であるロック爪と固定爪を拡大して示す説明図である。
【図１４】本発明の撮像装置に係る蓋開閉機構のロック爪と固定爪の係合時における３つのスイッチのオン・オフ状態を説明する説明図である。
【符号の説明】
【００６８】
１…デジタルビデオカメラ（撮像装置）、  ２…外装ケース（筐体）、  ３…ディスクドライブ装置、  ６…駆動装置側パネル、  ７…表示装置側パネル、  ４６…ターンテーブル（ディスク装着部）、  ４７…ディスク収納部、  ４８…テーブル回転装置、  ４９…光ピックアップ（ピックアップ装置）、  ５０…ディスク蓋、  ５０ａ…平面部（主面）、  ５５…蓋開閉機構、  ５６…固定爪、  ５７…固定側フック部、  ５７ａ…凸部、  ６０…ベースプレート（ケース側部材）、  ６１…ロック爪、  ６１ａ…爪部、  ６１ｂ…アーム部、  ６２…蓋検出部材、  ６２ｂ…入力部、  ６２ｃ…検出カム部、  ６３…端面カム、  ６４…カム駆動部、  ７１…傾斜面、  ７２…切欠き部、  ７３…可動側フック部、  ７７…カム接触部、  ７８，８６…捩りバネ（付勢部材）、  ８０…カムギア、  ８３…ウォームギア、  ９１，９２…蓋検出スイッチ（位置検出器）、  ９４…モータ停止スイッチ、  ９５…蓋開放スライドボタン（イジェクトボタン）、  ９８…イジェクト検出スイッチ、  ＳＴ…接触点
【図１】
2008165938.tif 000003
【図２】
2008165938.tif 000004
【図３】
2008165938.tif 000005
【図４】
2008165938.tif 000006
【図５】
2008165938.tif 000007
【図６】
2008165938.tif 000008
【図７】
2008165938.tif 000009
【図８】
2008165938.tif 000010
【図９】
2008165938.tif 000011
【図１０】
2008165938.tif 000012
【図１１】
2008165938.tif 000013
【図１２】
2008165938.tif 000014
【図１３】
2008165938.tif 000015
【図１４】
2008165938.tif 000016